【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
複数の低解像度画像データのうち基準となる１枚の低解像度画像データに含まれる、基準周波数を超える周波数成分の割合に対応して予め設定された超解像処理に使用する低解像度データの枚数に従い、使用する低解像度画像データの枚数の決定を行う決定手段と、
前記決定手段で決定された枚数の、互いに位相がずれた前記低解像度画像データを合成し、前記低解像度画像データより高解像度の画像データを作成する超解像処理を行う超解像処理手段と
を備えることを特徴とする画像処理装置。
【請求項２】
前記低解像度画像データをブロック領域に分割し、前記分割されたブロック領域毎に周波数成分を抽出し、基準周波数を超える高周波数成分の割合が閾値よりも高いブロック領域については、前記高周波成分の割合が閾値よりも低いブロック領域よりも使用する低解像度画像データの枚数を多くすることを特徴とする請求項１に記載の画像処理装置。
【請求項３】
複数の低解像度画像データのうち基準となる１枚の低解像度画像データに含まれる文字画像を検出し、該検出した文字画像から取得される文字情報の特性に対応して予め設定された超解像処理に使用する低解像度データの枚数に従い、使用する低解像度画像データの枚数の決定を行う決定手段と、
前記決定手段で決定された枚数の、互いに位相がずれた前記低解像度画像データを合成して前記低解像度画像データより高解像度の画像データを作成する超解像処理を行う超解像処理手段と
を備えることを特徴とする画像処理装置。
【請求項４】
前記超解像処理手段は、画像を構成するブロック単位で超解像処理を行うことを特徴とする請求項１又は３に記載の画像処理装置。
【請求項５】
前記決定手段は、前記基準周波数を超える周波数成分の割合が高くなるに応じて、前記低解像度画像データの枚数が段階的に増えるように、使用する低解像度画像データの枚数の決定を行うことを特徴とする請求項１に記載の画像処理装置。
【請求項６】
前記決定手段は、前記文字情報の特性より前記文字画像の低解像度画像データ全体に占める割合を判定し、該割合が高くなるに応じて、前記低解像度画像データの枚数が段階的に増えるように、使用する低解像度画像データの枚数の決定を行うことを特徴とする請求項３に記載の画像処理装置
【請求項７】
前記決定手段は、前記文字画像から取得される文字情報の特性より前記文字のサイズを判定し、基準サイズ以下の文字が画像の大きさに占める割合が高くなるに応じて、前記低解像度画像データの枚数が段階的に増えるように、使用する低解像度画像データの枚数の決定を行うことを特徴とする請求項３に記載の画像処理装置。
【請求項８】
前記決定手段は、前記文字画像から取得された前記文字情報の特性より前記文字のサイズを判定し、該サイズの分散値が大きくなるに応じて、前記低解像度画像データの枚数が段階的に増えるように、使用する低解像度画像データの枚数の決定を行うことを特徴とする請求項３に記載の画像処理装置。
【請求項９】
複数の低解像度画像データのうち基準となる１枚の低解像度画像データに含まれる基準周波数を超える周波数成分の割合が予め設定されている閾値より大きいか否か判断を行う判断手段と、
前記判断手段で前記高周波成分の割合が前記閾値より大きいと判断されると、互いに位相がずれた複数枚の前記低解像度画像データを合成し、前記低解像度画像データよりも高解像度の画像データを作成する超解像処理を行う超解像処理手段と、
前記判断手段で前記高周波数成分の割合が前記閾値より小さいと判断されると前記超解像処理を行わずに、前記低解像度画像データを保存又は出力する出力手段と
を備えることを特徴とする画像処理装置。
【請求項１０】
複数の低解像度画像データのうち基準となる１枚の低解像度画像データに含まれる文字画像の画像全体に占める割合が予め設定されている閾値より大きいか否かを判断する判断手段と、
前記判断手段で前記文字画像の画像全体に占める割合が予め設定されている閾値より小さいと判断された場合、互いに位相がずれた複数枚の前記低解像度画像データを合成し、前記低解像度画像データよりも高解像度の画像データを作成する超解像処理を行う超解像処理手段と、
前記判断手段で前記文字画像の画像全体に占める割合が前記閾値より小さいと判断されると前記超解像処理を行わずに、前記低解像度画像データを保存又は出力する出力手段と
を備えることを特徴とする画像処理装置。
【請求項１１】
複数の低解像度画像データのうち基準となる１枚の低解像度画像データに含まれる、基準周波数を超える周波数成分の割合に対応して予め設定された超解像処理に使用する低解像度データの枚数に従い、使用する低解像度画像データの枚数の決定を行う決定工程と、
前記決定工程で決定された枚数の、互いに位相がずれた前記低解像度画像データを合成し、前記低解像度画像データより高解像度の画像データを作成する超解像処理を行う超解像処理工程と
を備えることを特徴とする画像処理方法。
【請求項１２】
複数の低解像度画像データのうち基準となる１枚の低解像度画像データに含まれる文字画像を検出し、該検出した文字画像から取得される文字情報の特性に対応して予め設定された超解像処理に使用する低解像度データの枚数に従い、使用する低解像度画像データの枚数の決定を行う決定工程と、
前記決定工程で決定された枚数の、互いに位相がずれた前記低解像度画像データを合成して前記低解像度画像データより高解像度の画像データを作成する超解像処理を行う超解像処理工程と
を備えることを特徴とする画像処理方法。
【請求項１３】
複数の低解像度画像データのうち基準となる１枚の低解像度画像データに含まれる基準周波数を超える周波数成分の割合が予め設定されている閾値より大きいか否か判断を行う判断工程と、
前記判断工程で前記高周波成分の割合が前記閾値より大きいと判断されると、互いに位相がずれた複数枚の前記低解像度画像データを合成し、前記低解像度画像データよりも高解像度の画像データを作成する超解像処理を行う超解像処理工程と、
前記判断工程で前記高周波数成分の割合が前記閾値より小さいと判断されると前記超解像処理を行わずに、前記低解像度画像データを保存又は出力する出力工程と
を備えることを特徴とする画像処理方法。
【請求項１４】
複数の低解像度画像データのうち基準となる１枚の低解像度画像データに含まれる文字画像の画像全体に占める割合が予め設定されている閾値より大きいか否かを判断する判断工程と、
前記判断工程で前記文字画像の画像全体に占める割合が予め設定されている閾値より小さいと判断された場合、互いに位相がずれた複数枚の前記低解像度画像データを合成し、前記低解像度画像データよりも高解像度の画像データを作成する超解像処理を行う超解像処理工程と、
前記判断工程で前記文字画像の画像全体に占める割合が前記閾値より小さいと判断されると前記超解像処理を行わずに、前記低解像度画像データを保存又は出力する出力工程と
を備えることを特徴とする画像処理方法。
【請求項１５】
請求項１１乃至１４のいずれか一項に記載の画像処理方法をコンピュータに実行させるためのプログラム。
【手続補正２】
【補正対象書類名】明細書
【補正対象項目名】０００８
【補正方法】変更
【補正の内容】
【０００８】
上記目的を達成するために、本発明は以下の構成を備える。すなわち、
複数の低解像度画像データのうち基準となる１枚の低解像度画像データに含まれる、基準周波数を超える周波数成分の割合に対応して予め設定された超解像処理に使用する低解像度データの枚数に従い、使用する低解像度画像データの枚数の決定を行う決定手段と、
前記決定手段で決定された枚数の、互いに位相がずれた前記低解像度画像データを合成し、前記低解像度画像データより高解像度の画像データを作成する超解像処理を行う超解像処理手段とを備える。
【手続補正３】
【補正対象書類名】明細書
【補正対象項目名】０００９
【補正方法】変更
【補正の内容】
【０００９】
あるいは本発明の他の側面によれば以下の構成を備える。すなわち、複数の低解像度画像データのうち基準となる１枚の低解像度画像データに含まれる文字画像を検出し、該検出した文字画像から取得される文字情報の特性に対応して予め設定された超解像処理に使用する低解像度データの枚数に従い、使用する低解像度画像データの枚数の決定を行う決定手段と、
前記決定手段で決定された枚数の、互いに位相がずれた前記低解像度画像データを合成して前記低解像度画像データより高解像度の画像データを作成する超解像処理を行う超解像処理手段とを備える。